(57)【要約】【課題】通気性を確保し、かつ、建物の下部を緑化する技術を提供する。【解決手段】建物の下部を緑化する緑化装置であって、植物を生育する植生基盤と、前記植生基盤が充填され、複数の面のうち少なくとも一つの面が植物を植生する植生面となる、格子状又は複数孔を有する平板状の枠体と、前記枠体の内側に配置された植生基盤を内包すると共に通気性を有するマットと、を備え、前記枠体は、前記建物の下部側の背面に、前記建物の下部と前記緑化装置との間を通気するための凹部を有する。【選択図】図１
2013106570.tif 000002
【特許請求の範囲】
【請求項１】
建物の下部を緑化する緑化装置であって、
植物を生育する植生基盤と、
前記植生基盤が充填され、複数の面のうち少なくとも一つの面が植物を植生する植生面となる、格子状又は複数孔を有する平板状の枠体と、
前記枠体の内側に配置された植生基盤を内包すると共に通気性を有するマットと、を備え、
前記枠体は、前記建物の下部側の背面に、前記建物の下部と前記緑化装置との間を通気するための凹部を有する、緑化装置。
【請求項２】
前記枠体は、前面、背面、底面、天面、二つの側面を有する六面体であり、
前記凹部は、前記枠体の背面の少なくとも一部が前記枠体の前面側に凹んでいる、請求項１に記載の緑化装置。
【請求項３】
前記枠体は、前面、背面、底面、天面、二つの側面を有する六面体であり、
前記凹部は、前記枠体の背面の少なくとも一部が前記枠体の前面側に傾斜している、請求項１に記載の緑化装置。
【請求項４】
前記枠体は、前面、背面、底面、天面、二つの側面を有する六面体であり、
前記枠体の背面は、上部の垂直部と、前記垂直部から前記前面側に傾斜した前記凹部としての傾斜部と、を含む請求項１に記載の緑化装置。
【発明の詳細な説明】
【技術分野】
【０００１】
本発明は、緑化装置に関する。
【背景技術】
【０００２】
コンクリートやアスファルトによって形成される地面や、建物の天端面などを緑化する種々の技術が提案されている。例えば、特許文献１には、箱体に植生基盤を充填して植生した多面緑化体が開示されている。この多面緑化体は、箱体が、金網製であり、四角形の複数の側面を有している。また、箱体内の複数の側面に、基盤マットに植物を植生して予め製造した植生ブロックマットが収容されている。また、植生ブロックマットの内側には、無機質の植生基盤が充填され、箱体の複数の側面と上面には、植物が植えられている。
【先行技術文献】
【特許文献】
【０００３】
【特許文献１】特許第４３８３９７１号公報
【特許文献２】特許第４４３７１９９号公報
【特許文献３】実用新案登録第３１０６１６０号公報
【発明の概要】
【発明が解決しようとする課題】
【０００４】
コンクリートやアスファルトによって形成される地面や、建物の天端面などを緑化する種々の技術が提案されている。例えば上記多面緑化体によれば、限られたスペースにおいてより多くの植生面積を提供することができる。一方で、緑化が望まれる領域として、建物の下部がある。建物の下部の壁面に沿って上記多面緑化体を配置することで、建物の下部の緑化も可能である。しかしながら、建物の下部は、本来的に湿度が高くなりやすい。特に木造住宅の布基礎では、通気性を確保しないと、床下の湿度が高くなり、木造住宅の下部が腐食することが懸念される。
【０００５】
本発明は、上記の問題に鑑み、通気性を確保し、かつ、建物の下部を緑化する技術を提供することを課題とする。
【課題を解決するための手段】
【０００６】
本発明は、上述した課題を解決するために、緑化装置の背面の形状を工夫し、建物の下部と緑化装置の背面との間の通気性を確保するようにした。
【０００７】
詳細には、本発明に係る緑化装置は、建物の下部を緑化する緑化装置であって、植物を生育する植生基盤と、前記植生基盤が充填され、複数の面のうち少なくとも一つの面が植物を植生する植生面となる、格子状又は複数孔を有する平板状の枠体と、前記枠体の内側に配置された植生基盤を内包すると共に通気性を有するマットと、を備え、前記枠体は、前記建物の下部側の背面に、前記建物の下部と前記緑化装置との間を通気するための凹部を有する。
【０００８】
本発明に係る緑化装置によれば、建物の下部を緑化することができる。また、本発明に係る緑化装置は、背面に凹部を備えることで、建物の下部と緑化装置との間の通気性を確保することができる。その結果、建物の下部における湿度の上昇を抑制できる。建物が木造住宅の場合、建物の下部の布基礎における通気性を確保しないと、床下の湿度が高くなり、木造住宅の下部が腐食することが懸念される。本発明に係る緑化装置では、通気性が確保できることから、木造住宅の下部の腐食を抑制できる。
【０００９】
植生基盤とは、緑化装置に植えられる植物を生育するための土台を意味する。植生基盤は、保水性の高い軽量土壌を用いることが好ましいが、植物を生育できるものであればよい。枠体とは、緑化装置の構造体であり、植生基盤が充填された緑化装置を支持する。枠体は、通気性と十分な強度を有していればよく、その態様は特に限定されない。マットは、枠体の内側に設けられ、植生基盤が外部へ漏れるのを抑制する。
【００１０】
ここで、本発明に係る緑化装置において、前記枠体は、前面、背面、底面、天面、二つの側面を有する六面体であり、前記凹部は、前記枠体の背面の少なくとも一部が前記枠体の前面側に凹んでいる構成としてもよい。枠体の背面を前面側に凹ませることで、建物の下部と緑化装置との間に空間を形成でき、建物の下部と緑化装置との間の通気性が確保される。凹部は、背面を傾斜させることで構成してもよく、また、背面に段を設けることで構成してもよい。また、凹部は、背面を前面側に湾曲させることで構成してもよい。なお、凹部は、枠体の上部に設けてもよいが、上部より下方に設けることが好ましい。これにより、天面の面積をより多く確保でき、その結果、植生面積をより多く確保できる。
【００１１】
また、本発明に係る緑化装置において、前記枠体は、前面、背面、底面、天面、二つの側面を有する六面体であり、前記枠体の背面は、上部の垂直部と、前記垂直部から前記前面側に傾斜した前記凹部としての傾斜部と、を含むように構成してもよい。垂直部を設けることで、天面の面積をより多く確保でき、その結果、植生面積をより多く確保できる。また、傾斜部を設けることで、建物の下部と緑化装置との間の通気性を確保することができる。
【発明の効果】
【００１２】
本発明によれば、通気性を確保し、かつ、建物の下部を緑化する技術を提供することが可能である。
【図面の簡単な説明】
【００１３】
【図１】実施形態に係る緑化装置の断面図を示す。
【図２】実施形態に係る緑化装置の斜視図を示す。
【図３】実施形態に係る緑化装置の分解斜視図を示す。
【図４】実施形態に係る緑化装置の枠体の平面図を示す。
【図５】実施形態に係る緑化装置の枠体の側面図を示す。
【図６】実施形態に係る緑化装置による緑化工法を示す。
【図７】緑化装置の枠体の背面の第一変形例を示す。
【図８】緑化装置の枠体の背面の第二変形例を示す。
【発明を実施するための形態】
【００１４】
次に、本発明の実施形態について図面を基づいて説明する。なお、以下で説明する実施形態は本発明を実施するための例示であり、本発明は以下で説明する態様に限定されない。
【００１５】
＜構成＞
図１から図３に示すように、実施形態に係る緑化装置１は、４つの側面（正面３１、背面３２、右側面３３、左側面３４）、天面３５、底面３６の６面からなる箱型形状（６面体）である。但し、背面３２は、垂直面３２１と傾斜面３２２が設けられており、緑化装置１は、厳密には背面３２が２面からなる、７面体でもある。緑化装置１が傾斜面３２２を有することで、建物の下部の壁面１０と緑化装置１との間には、断面が三角形の通気路Ａが形成されている。実施形態に係る緑化装置１は、上方が開放された箱形の枠体３の内側に植生マット２が設けられ、植生マット２の内側に軽量土壌７が充填され、各側面及び
天面に植物８（正面に植生された植物８１、天面に植生された植物８２）が植生されている。植物８は、正面に植生される植物８１として、蔓性植物としてテイカカズラが例示される。また、天面に植生される植物８２には、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草木が例示される。なお、植物８は、上記を混植してもよい。なお、本実施形態では、各面の平面形状を四角形としたが、各面の平面形状は、四角形以外の多角形としてもよい。また、緑化装置１は、６面体以外の多面体構造としてもよい。
【００１６】
枠体３は、枠体の背面３２と枠体の底面３６の一部とが一体的に形成されている。枠体の左側面３４、右側面３３、及び正面３１はそれぞれ別構成となっている。枠体３の各面同士は、接続部材１７によって互いに接続されている。枠体３の背面３２は、上部に垂直面３２１を有しており、垂直面３２１から下方に正面３１側に傾斜した傾斜面３２２を有している。枠体３の垂直面３２１の高さは、緑化装置１の高さの５分の１程であり、枠体３の傾斜面３２２の高さは、緑化装置１の高さの５分の４程である。枠体３の底面３６と、枠体３の左側面３４、右側面３３、及び正面３１は直交している。枠体３の底面３６と傾斜面３２２との角度は、１２０度程である。また、枠体３の垂直面３２１と傾斜面との角度は１５０度程である。枠体３の垂直面３２１、傾斜面３２２、正面３１、及び底面３６は、何れも四角形である。枠体３の左側面３４、及び右側面３３は、背面３２の形状に合わせて設計されており、台形である。
【００１７】
枠体３の左側面３４、及び右側面３３の下端部には、内側斜め上方に突出した鉤部１９が設けられている。鉤部１９は、枠体の底面３６の左側の辺と右側の辺に引っ掛ける引っ掛け部として機能する。また、鉤部１９は、枠体の底面３６に対して枠体３の左側面３４及び右側面３３の位置決めを補助する位置決め部としても機能する。
【００１８】
枠体３は、平板状の金網に対して折り曲げ加工と溶接が施されることで形成されている。金網の材質は、例えば、亜鉛とアルミニウム合金メッキの鉄線である。また、枠体３は、エキスパンドメタルや、複数の孔（例えば、格子状に形成された孔）を有する鋼板を用いてもよい。枠体３の材質は、通気性を確保でき、かつ、軽量土壌７を充填した際の内圧に耐えうる強度を有していればよく、特に限定されない。
【００１９】
更に、枠体３の正面３１、背面３２、底面３６は、格子の横方向を構成する横部材１１が、折り曲げ加工が施されることによって、波状に形成されている。これに対し、格子の縦方向（枠体３の底面３６では、正面から背面方向）を構成する縦部材１２は、直線状である。また、横部材１１の波状のうち、外側に向けて突出した突出部１３が縦方向に直線状に並ぶように、突出部１３と突出部１３との間において、縦部材１２と横部材１１とが溶接されている。突出部１３と突出部１３との間の領域は、換言すると凹部である。横部材１１が突出部１３を有することによって、枠体３の内側に設けられた植生マット２の表面と、横部材１１の突出部１３との間に空間が形成され、各側面に植生された植物８１が横部材１１に対して絡み易くなる。また、突出部１３が縦方向に直線状に並んでいるため、植生マット２の表面と突出部１３との間に形成された空間が直線状となっている。そのため、植物８１が成長して上方に向かって伸びる際、植物８１の生育方向が開放されており、植物８１が生育するうえで良好な環境となる。また、枠体３の底面３６では、突出部１３を有することで、枠体３の底面の通気性が確保される。なお、本実施形態では、右側面や左側面に他の緑化装置１を連結しやすいよう、枠体３の右側面３３、及び左側面３４は、いずれも直線状の横部材１１ａ、及び縦部材１２ａによって構成されている。なお、緑化装置１の左側面や右側面に他の緑化装置１を連結しない場合には、枠体３の右側面３３や左側面３４についても、波状の横部材を用いることができる。
【００２０】
接続部材１７は、枠体３の各面同士を接続する。本実施形態では、接続部材１７は、枠体３の左側面３４の正面側の辺と枠体３の正面３１の左側の辺、枠体の右側面３３の正面側の辺と枠体の正面３１の右側の辺とを接続する。接続部材１７は、枠体３と同素材であり、螺旋形状を有する。枠体の左側面３４の正面側の辺と枠体の正面３１の左側の辺、及び枠体の右側面３３の正面側の辺と枠体の正面３１の右側の辺とが接する状態で、接続部材１７の軸方向を中心に接続部材１７を回転させ、接続部材１７の先端を枠体３の網に順次通していくことで、枠体３の左側面３４の正面側の辺と枠体３の正面３１の左側の辺、及び枠体３の右側面３３の正面側の辺と枠体３の正面３１の右側の辺との接続が可能となる。なお、接続部材１７は、枠体３の各面同士を接続できればよく、螺旋形状を有する接続部材１７に代えて、挟み込んで固定するクリップや結束する結束クリップなどを用いてもよい。
【００２１】
植生マット２は、枠体３の内側に配置され、充填される軽量土壌７が外部に漏れるのを抑制する。植生マット２は、枠体３の各面の形状に合わせて設計されている。植生マット２は、通気性と軽量土壌７を保持する強度を有していればよく、実施形態では植生マット２にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。植生マット２には、植物８１の植え付けが可能である。具体的には、植生マット２に複数の切り込みを設け、この切り込みから植物８１の根を植生基盤７１に植え付けることが可能である。なお、植生マット２に植え付ける植物８１は、同種植物の組み合わせでもよいし、異種植物の組み合わせの何れでもよい。また、枠体３において植物８１を植え付ける面は、緑化装置１の配置場所の状況に応じて適宜変更することが可能である。また、緑化装置１は、予め植物８１が植生された植生マット２を用いてもよい。これにより、設置された直後から緑化効果を与え、美観を向上させることができ、設置場所において植物８を植える手間を省くことができ、施行性が向上する。また、植物の植えつけは、作業者の熟練度によって完成後の見栄えや植物の生育に影響を与えることが懸念されるが、予め植物８１が植生された植生マット２を用いることで、そのような懸念が解消される。
【００２２】
軽量土壌７は、植生基盤７１と排水基盤７２を有する。植生基盤７１は、植物が必要とする微量要素が混合され、保水性に優れた無機質の軽量土壌であり、植生マット２に植えられる植物８１に対して水分を供給する。排水基盤７２は、水を排水する無機質の軽量土壌である。枠体３内の底面に、排水基盤７２が充填され、排水基盤７２の上から枠体３の天面まで植生基盤７１が充填される。なお、植生基盤７１としては、例えば市販されている無機質１００％の排水用及び育成用のアクアソイル（株式会社イケガミ社製）が好適であるが、これに限定されない。軽量土壌に代えて既存の他の土壌を用いてもよい。木造住宅の布基礎の壁面に緑化装置１を配置する場合、水の供給も容易に行えることから、住宅敷地内の一般的な土を用いてもよい。
【００２３】
＜緑化工法＞
次に、上述した緑化装置１による、建物の下部の壁面１０の緑化工法について説明する。以下に示す緑化工法の工程順序は一例であり、工程順序は適宜入れ替えることが可能である。
【００２４】
図６は、実施形態に係る緑化装置による緑化工法を示す。図６（ａ）に示すように、最初の工程では、建物の下部の壁面１０の周囲が掘削される。掘削の深さや幅は、緑化装置１に応じて決定される。掘削が完了すると、図６（ｂ）に示すように、地面の天端が掘削高Ｈだけ低くなる。なお、建物の下部の壁面１０がすでに露出している場合には、掘削は省略することができる。
【００２５】
次に、図６（ｃ）に示すように、枠体３の背面３２が設置され、かつ、枠体３の背面３２側に植生マット２が設置される。枠体３の背面３２は、垂直面３２１が、建物の下部の壁面１０に接するように設置される。なお、緑化装置１の背面側で排水を行う必要がある場合には、枠体３の背面３２の設置前に、緑化装置１と建物の下部の壁面１０との間に形成される通気路Ａに排水パイプを設置してもよい。
【００２６】
次に、枠体３の正面３１、右側面３３、左側面３４、及び底面３６が設置される。本実施形態では、枠体３の底面３６、正面３１、左側面３４、及び右側面３３が、接続部材１７を用いて予め組み立てられている。枠体３の正面３１と、右側面３３及び左側面３４が、接続部材１７により接続される。具体的には、接続する辺同士が接した状態で接続部材１７を接続部材１７の軸方向を中心に回転させ、接続部材１７の先端を網に順次通していくことで接続される。その結果、枠体３の正面３１の左側の辺と枠体３の左側面３４の辺、及び枠体の正面３１の右側の辺と枠体３の右側面３３の辺が、夫々螺旋形状を有する接続部材１７の軸上に位置し、接続部材１７によって拘束される。枠体３の正面３１の左右の辺が拘束されると、天面及び背面が解放された枠体３が完成する。そして、この天面及び背面が解放された枠体３が、すでに設置されている枠体３の背面３２と接続される。なお、本実施形態では、この後、軽量土壌７が充填されることで、自重により緑化装置１の移動を制限することができる。よって、天面３５及び背面３２が解放された枠体３と、すでに設置されている枠体の背面３２との接続は、単に位置合わせのみで、接続部材１７による接続は行われない。但し、緑化装置１をより強固にするため、接続部材１７等を用いて天面３５及び背面３２が解放された枠体３と、すでに設置されている枠体３の背面３２とを固定するようにしてもよい。
【００２７】
次に、枠体の底面３６、正面３１、左側面３４、及び右側面３３に植生マット２が設置される。次に、図６（ｅ）に示すように、植生マット２の内側に軽量土壌７が充填される。具体的には、まず、排水基盤７２が充填される。充填される排水基盤７２の量は、緑化装置１の大きさに応じて適宜調整される。続いて、排水基盤７２の上に、植生基盤７１が枠体３の天面３５近傍まで充填される。なお、正面の植生マット２には、予め植物８１が植えられたものを用いるようにしてもよい。
【００２８】
次に、図６（ｆ）に示すように、枠体３の正面３１及び天面３５に植物８１及び植物８２が夫々植えられる。なお、枠体３の天面３５には、植生マット２を水平に設置してもよいし、植生基盤７１に植物８２を直接植生してもよい。なお、緑化装置１における植物８の植生面は、任意に設定することができる。以上により、緑化装置１による、建物の下部の壁面１０の緑化が完了する。
【００２９】
＜効果＞
以上説明した実施形態に係る緑化装置１によれば、建物の下部の壁面１０を緑化することができる。また、実施形態に係る緑化装置１は、枠体３の背面３２に垂直部３２１及び傾斜部３２２を備えることで、建物の下部の壁面１０と緑化装置１との間に通気路Ａが形成される。その結果、建物の下部の壁面１０と緑化装置１との間の通気性を確保することができる。この通気路Ａには、必要に応じて、排水パイプを設置することもできる。その結果、建物の下部の壁面１０における湿度の上昇を抑制でき、木造住宅の下部の腐食を抑制することができる。
【００３０】
＜変形例＞
実施形態に係る緑化装置１の背面３２は、以下のように構成してもよい。図７は、緑化装置の枠体の背面の第一変形例を示す。図７に示すように、枠体３の背面３２ａは、実施形態のような垂直部３２１を設けず、傾斜部３２２ａのみを備える構成でもよい。この場合、枠体３の背面３２ａは、天面３５から傾斜し、背面３２の一面が傾斜面３２２となる
。また、図８は、緑化装置の枠体の背面の第二変形例を示す。実施形態に係る緑化装置１において、図８に示すように、枠体３の背面３２は、段差３２３を備える構成でもよい。図８では、段差３２３が一段であるが、二段又は三段のように、複数段としてもよい。
【００３１】
以上説明した変形例に係る緑化装置１によっても、建物の下部の壁面１０と緑化装置１との間に通気路Ａが形成される。その結果、建物の下部の壁面１０と緑化装置１との間の通気性を確保することができる。その結果、建物の下部の壁面１０における湿度の上昇を抑制でき、木造住宅の下部の腐食を抑制することができる。なお、通気路Ａには、必要に応じて、排水パイプを設置してもよい。
【００３２】
以上、本発明の好適な実施形態を説明したが、本発明に係る緑化装置はこれらに限らず、可能な限りこれらの組み合わせを含むことができる。
【符号の説明】
【００３３】
１・・・緑化装置
２・・・植生マット
３・・・枠体
７・・・軽量土壌
８・・・植物
１０・・・鉤部
１１・・・横部材
１２・・・縦部材
１３・・・突出部
１７・・・接続部材
【図１】
2013106570.tif 000003
【図２】
2013106570.tif 000004
【図３】
2013106570.tif 000005
【図４】
2013106570.tif 000006
【図５】
2013106570.tif 000007
【図６】
2013106570.tif 000008
【図７】
2013106570.tif 000009
【図８】
2013106570.tif 000010